(57)【要約】受信機アーキテクチャは、所望のチャネルを選択的に通し、所望でないチャネルを拒否するための選択性フィルタ（２０６）を備える。該選択性フィルタは、トランスミッタフィルタのＢＴの約半分のフィルタＢＴを有する。シンボル復元プロセッサー（２１０）は、２ステートの最尤系列推定（ＭＬＳＥ）技術によってシンボルを復元するためにディスクリミネーターに接続している。前記最尤系列推定技術においては、テンプレートはトランスミッタフィルタのＢＴより実質的に小さいＢＴで最適化される。
2004514368.tif 000002
【特許請求の範囲】
【請求項１】
周波数偏移変調（ＦＳＫ）チャネル上に送信されたシンボルを受信し復元するための受信機アーキテクチャであって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記受信機アーキテクチャは、
所望のチャネルを選択的に通し、所望でないチャネルを拒否するための選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える受信機アーキテクチャ。
【請求項２】
選択性フィルタ、ディスクリミネーターおよびシンボル復元プロセッサーは、該受信機アーキテクチャにおいて、ポスト・ディテクション・フィルタが不要となるように構成され、かつプログラムされている請求項１に記載の受信機アーキテクチャ。
【請求項３】
シンボル復元プロセッサーは、テンプレートがほぼ３の平方根で除算されたトランスミッタフィルタのＢＴと等しいＢＴで最適化されるように、プログラムされている、請求項１に記載の受信機アーキテクチャ。
【請求項４】
選択性フィルタ、ディスクリミネーターおよびシンボル復元プロセッサーは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項１に記載の受信器アーキテクチャ。
【請求項５】
周波数偏移変調（ＦＳＫ）チャネル上に送信されたシンボルを受信し復元するために受信機内において使用される集積回路であって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記集積回路は、
所望のチャネルを選択的に通し、所望でないチャネルを拒否するための選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える集積回路。
【請求項６】
選択性フィルタ、ディスクリミネーターおよびシンボル復元プロセッサーは、該集積回路において、ポスト・ディテクション・フィルタが不要となるように構成され、かつプログラムされている請求項５に記載の集積回路。
【請求項７】
シンボル復元プロセッサーは、テンプレートが、ほぼ３の平方根で除算されたトランスミッタフィルタのＢＴと等しいＢＴで最適化されるように、プログラムされている、請求項５に記載の集積回路。
【請求項８】
選択性フィルタ、ディスクリミネーターおよびシンボル復元プロセッサーは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項５に記載の集積回路。
【請求項９】
周波数偏移変調（ＦＳＫ）チャネル上で送信されたシンボルを受信し復元するため装置であって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記装置は、
所望のチャネルを選択的に通し、所望でないチャネルを拒否するための選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える装置。
【請求項１０】
選択性フィルタ、ディスクリミネーターおよびシンボル復元プロセッサーは、該装置において、ポスト・ディテクション・フィルタが不要となるように構成され、かつプログラムされている請求項９に記載の装置。
【請求項１１】
シンボル復元プロセッサーは、テンプレートがほぼ３の平方根で除算されたトランスミッタフィルタのＢＴと等しいＢＴで最適化されるように、プログラムされている、請求項９に記載の装置。
【請求項１２】
選択性フィルタ、ディスクリミネーターおよびシンボル復元プロセッサーは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項９に記載の装置。
【請求項１３】
周波数偏移変調（ＦＳＫ）チャネル上に送信されたシンボルを受信し復元するための受信機であって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記受信機は、
無線信号をダウン変換するためのダウンコンバータと、
所望のチャネルを選択的に通し、所望でないチャネルを拒否するための選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える受信機。
【請求項１４】
選択性フィルタ、ディスクリミネーターおよびシンボル復元プロセッサーは、該受信機において、ポスト・ディテクション・フィルタが不要となるように構成され、かつプログラムされている請求項１３に記載の受信機。
【請求項１５】
シンボル復元プロセッサーは、テンプレートがほぼ３の平方根で除算されたトランスミッタフィルタのＢＴと等しいＢＴで最適化されるように、プログラムされている、請求項１３に記載の受信機。
【請求項１６】
選択性フィルタ、ディスクリミネーターおよびシンボル復元プロセッサーは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項１３に記載の受信機。
【請求項１７】
周波数偏移変調（ＦＳＫ）チャネル上に送信されたシンボルを受信し復元するためのトランシーバーであって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記トランシーバーは、
通信信号を送信するためのトランスミッタと、
前記トランスミッタを制御するために同トランスミッタに接続した通信プロセッサーと、
無線信号を受信するために通信プロセッサに接続した受信機とを備え、該受信機は、
無線信号をダウン変換するためのダウンコンバータと、
所望のチャネルを選択的に通し、所望でないチャネルを拒否するためにダウンコンバータに接続した選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える、トランシーバー。
【請求項１８】
選択性フィルタ、ディスクリミネーターおよびシンボル復元プロセッサーは、該トランシーバーにおいて、ポスト・ディテクション・フィルタが不要となるように構成され、かつプログラムされている請求項１７に記載のトランシーバー。
【請求項１９】
シンボル復元プロセッサーは、テンプレートがほぼ３の平方根で除算されたトランスミッタフィルタのＢＴと等しいＢＴで最適化されるように、プログラムされている、請求項１７に記載のトランシーバー。
【請求項２０】
選択性フィルタ、ディスクリミネーター、およびシンボル復元プロセッサは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項１７に記載のトランシーバー。
【請求項２１】
周波数偏移変調（ＦＳＫ）チャネル上に送信されたシンボルを受信し復元するための双方向ポータブル通信装置用無線ヘッドセットであって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記無線ヘッドセットは、
ユーザから音声入力を受信するための第１の変換器と、
双方向ポータブル通信装置に音声入力を含む通信信号を送信するために第１の変換器に接続したトランスミッタと、
前記トランスミッタを制御するために同トランスミッタに接続した通信プロセッサーと、
双方向ポータブル通信装置から無線信号を受信するために通信プロセッサに接続した受信機と、
ユーザにデジタル無線信号で受信されたメッセージを伝えるために受信機に接続した第２の変換器とを備え、
前記受信機は、
無線信号をダウン変換するためのダウンコンバータと、
所望のチャネルを選択的に通し、所望でないチャネルを拒否するための選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える、無線ヘッドセット。
【請求項２２】
選択性フィルタ、ディスクリミネーターおよびシンボル復元プロセッサーは、該無線ヘッドセットにおいて、ポスト・ディテクション・フィルタが不要となるように構成され、かつプログラムされている請求項２１に記載の無線ヘッドセット。
【請求項２３】
シンボル復元プロセッサーは、テンプレートがほぼ３の平方根で除算されたトランスミッタフィルタのＢＴと等しいＢＴで最適化されるように、プログラムされている、請求項２１に記載の無線ヘッドセット。
【請求項２４】
選択性フィルタ、ディスクリミネーターおよびシンボル復元プロセッサーは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項２１に記載の無線ヘッドセット。
【発明の詳細な説明】
【０００１】
（本発明の技術分野）
本発明は一般に無線通信システムに関連し、より詳細には、周波数偏移変調されたシンボルを受信および復元するための装置に関する。
【０００２】
（本発明の背景）
デジタル無線通信システムは、データを送信するための様々な変調形式を利用してきた。普及している１つの変調形式はガウス周波数偏移（ＧＦＳＫ）変調である。周知のブルートゥース（Ｂｌｕｅｔｏｏｔｈ）無線通信システムは、例えば、２値ＧＦＳＫ変調を用いる。
【０００３】
ＧＦＳＫ変調器は、送信バンド幅を制限するために、送信されるべきデータシンボル上で、フィルタ処理を行なう。この発信機フィルタは、受信機においてシンボルを検知することをより困難にして、有意な量の符号間干渉（ＩＳＩ）を引き起こす。ＩＳＩを悪化させないために、従来技術のＧＦＳＫ受信機は一般に、比較的広帯域の選択性フィルタを用いることにより、隣接チャネル排除（ａｄｊａｃｅｎｔ　ｃｈａｎｎｅｌ　ｒｅｊｅｃｔｉｏｎ）を低減する。ＩＳＩを補うために、２値ＧＦＳＫチャネルに対して４または１６ステートを有する、ポスト−ディテクション・フィルタ（ＰＤＦ）および最尤系列推定（ＭＬＳＥ）要素のような付加的な要素が使用されてきた。ＭＬＳＥのテンプレートは、一般にトランスミッタフィルタのそれと一致するバンド幅で使用される。そのような付加的な要素は、受信機のコストを増大させ、総消費電力を増加させる。
【０００４】
したがって、ＦＳＫデジタル無線チャネルで送信されたシンボルを受信し復元するための装置が必要とされている。該装置は、好ましくは、ＰＤＦまたは４もしくは１６ステートＭＬＳＥ要素のいずれかを必要とすることなく、高い感度と隣接チャネル排除を達成するだろう。
【０００５】
（図面の詳細な説明）
図１を参照すると、従来技術のトランシーバー１００の電気ブロック図は、トランスミッタ１０１および受信機１０３を含む。トランスミッタ１０１は、好ましくは、０．５というシンボルレートｌ／Ｔに対するハーフバンド幅Ｂの比率（ＢＴ）を有するガウス・トランスミッタ・フィルタ１０２を備える。トランスミッタフィルタ１０２は、ＧＦＳＫ無線信号を生成するためにＦＭ変調器１０４に接続している。信号を送信するためのアンテナ１０６がＦＭ変調器に接続している。
【０００６】
受信機１０３は、トランスミッタ１０１からのＧＦＳＫ信号を傍受するためにアンテナ１０８を備える。アンテナ１０８は、受信信号をダウン変換するためのダウンコンバータ１１０に接続している。ダウンコンバータ１１０は、選択的に所望のチャネルを調整し、隣接チャネル干渉を退けて、ＡＷＧＮバンド幅を減少させるための、選択性フィルタ１１２に接続している。符号間干渉（ＩＳＩ）が深刻にならないように、選択性フィルタのバンド幅は、送信されたＧＦＳＫ信号のバンド幅以上であるべきであることは一般に認められている。ディスクリミネーター１１４は、受信信号の周波数領域シンボルを時間領域シンボルに変換するために、選択性フィルタ１１２に接続している。ポスト・ディテクション・フィルタ（ＰＤＦ）１１６は、ディスクリミネーターによって非線形的に増幅されたノイズを低減するためにディスクリミネーター１１４に接続している。スライシング要素１１８は、シンボルを復元するためにＰＤＦに接続している。
【０００７】
図２を参照すると、本発明による受信機２００の電気ブロック図は、トランスミッタ１０１からのＧＦＳＫ信号を傍受のために、従来のアンテナ２０２を備える。アンテナ２０２は受信信号をダウン変換するための、従来のダウンコンバータ２０４に接続している。ダウンコンバータ２０４は、好ましくは、選択的に所望のチャネルを調整するための４次選択性フィルタ２０６に接続している。感度および隣接チャネル排除を改善するために、選択性フィルタ２０６のＢＴは、好ましくは、トランスミッタフィルタＢＴの約半分である（つまり、選択性フィルタＢＴ＝Ｏ．２５）。この非常に狭い選択性フィルタバンド幅が深刻なＩＳＩを引き起こし、そのＩＳＩは後でシンボルの復元において補償されなければならないだろうことが理解される。従来のディスクリミネーター２０８は、受信信号の周波数領域シンボルを時間領域シンボルに変換するために選択性フィルタ２０６に接続している。
【０００８】
シンボル復元プロセッサー２１０は、好ましくは、２ステートの最尤系列推定（ＭＬＳＥ）技術によってシンボルを復元するためにディスクリミネーター２０８に接続している。非常に狭い選択性フィルタによって導入された深刻なＩＳＩを補償するために、ＭＬＳＥにおいて使用されるテンプレートは、トランスミッタフィルタバンド幅より実質的に小さいバンド幅で最適化される。より詳細には、トランスミッタ１０１のガウスフィルタ１０２および選択性フィルタ２０６の双方によって引き起こされたＩＳＩを補償するために、テンプレートは、好ましくは、ほぼ３の平方根で除算されたトランスミッタフィルタＢＴと等しいＢＴで最適化される。選択性フィルタの非常に狭いバンド幅が単独で十分な隣接チャネル排除およびＡＷＧＮノイズバンド幅削減を提供するので、この受信機アーキテクチャにおいてポスト・ディテクション・フィルタは必要ではないことに留意されたい。代わりに、設計上の優先事項によって、選択性フィルタバンド幅およびテンプレートを好ましい値に関して多少調節することが可能であることが認識されるであろう。受信機２００の全てまたは一部分を１つ以上の集積回路の形態で製造することが可能であることがさらに認識されるだろう。
【０００９】
一実施形態において、受信機２００は、ブルートゥース通信システムで作動するように設計されている。この実施形態は、１Ｍｂｐｓのデータレートおよび０．５のトランスミッタフィルタＢＴを有する２値ガウス周波数偏移変調（２−ＧＦＳＫ）チャネルで送信されたシンボルを受信し復元するように構成され、かつプログラムされる、選択性フィルタ２０６、ディスクリミネーター２０８、およびシンボル復元プロセッサー２１０を必要とする。これに代わって、受信機２００は、他のデータレートで、他の変調形式および他の送信バンド幅の備えた、他のシステムにおいて、作動し得ることが認識されるであろう。
【００１０】
図３は本発明によるトランシーバー３００の電気ブロック図である。トランシーバー３００は、受信機２００およびトランスミッタ１０１を備え、それら双方は、それらの受信機２００およびトランスミッタ１０１を制御するための通信プロセッサ３０２に接続している。一実施形態において、トランシーバー３００はブルートゥース通信システムにおいて作動される。
【００１１】
図４は、本発明による無線ヘッドセット４０１を含む、無線通信システム４００の電気ブロック図である。無線通信システム４００は、好ましくはトランシーバー３００に類似した、無線ヘッドセットインターフェース（図示せず）を装備した携帯電話４０６を含んでいる。無線ヘッドセット４０１は、第１の無線リンク４１０上で携帯電話４０６と通信するために通信プロセッサ３０２に接続したトランスミッタ１０１および受信機２００を備える。さらに、ユーザから音声入力を受信するための第１の変換器すなわちマイクロホン４０２、ならびに第１の無線リンク４１０を介して受信したメッセージを伝えるための第２の変換器すなわちイヤースピーカー４０４が通信プロセッサ３０２に接続している。携帯電話４０６はまた、第２の無線リンク４１２を通じて携帯電話インフラストラクチュア４０８と従来のように通信する。無線通信システム４００は、携帯電話４０６と無線ヘッドセット４０１との間のコードを必要とすることなく、ユーザがヘッドセットモードで携帯電話４０６を作動させることを有利に可能にする。
【図面の簡単な説明】
【図１】従来技術トランシーバーの電気ブロック図。
【図２】本発明による受信機の電気ブロック図。
【図３】本発明によるトランシーバーの電気ブロック図。
【図４】本発明による無線ヘッドセットを含む無線通信システムの電気ブロック図。
【図１】
2004514368.tif 000003
【図３】
2004514368.tif 000004
【図４】
2004514368.tif 000005
【国際公開パンフレット】
2004514368.tif 000006
2004514368.tif 000007
2004514368.tif 000008
2004514368.tif 000009
2004514368.tif 000010
2004514368.tif 000011
2004514368.tif 000012
2004514368.tif 000013
2004514368.tif 000014
2004514368.tif 000015
2004514368.tif 000016
2004514368.tif 000017
2004514368.tif 000018
2004514368.tif 000019
2004514368.tif 000020
【国際公開パンフレット（コレクトバージョン）】
2004514368.tif 000021
【手続補正書】
【提出日】平成14年10月11日(2002.10.11)
【手続補正１】
【補正対象書類名】明細書
【補正対象項目名】特許請求の範囲
【補正方法】変更
【補正の内容】
【特許請求の範囲】
【請求項１】
周波数偏移変調（ＦＳＫ）チャネル上に送信されたシンボルを受信し復元するための受信機アーキテクチャであって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記受信機アーキテクチャは、
所望のチャネルを選択的に通し、所望でないチャネルを拒否するための選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える受信機アーキテクチャ。
【請求項２】
選択性フィルタ、ディスクリミネーターおよびシンボル復元プロセッサーは、該受信機アーキテクチャにおいて、ポスト・ディテクション・フィルタが不要となるように構成され、かつプログラムされている請求項１に記載の受信機アーキテクチャ。
【請求項３】
シンボル復元プロセッサーは、テンプレートがほぼ３の平方根で除算されたトランスミッタフィルタのＢＴと等しいＢＴで最適化されるように、プログラムされている、請求項１に記載の受信機アーキテクチャ。
【請求項４】
選択性フィルタ、ディスクリミネーターおよびシンボル復元プロセッサーは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項１に記載の受信器アーキテクチャ。
【請求項５】
周波数偏移変調（ＦＳＫ）チャネル上に送信されたシンボルを受信し復元するための受信機であって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記受信機は、
無線信号をダウン変換するためのダウンコンバータと、
所望のチャネルを選択的に通し、所望でないチャネルを拒否するための選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える受信機。
【請求項６】
選択性フィルタ、ディスクリミネーターおよびシンボル復元プロセッサーは、該受信機において、ポスト・ディテクション・フィルタが不要となるように構成され、かつプログラムされている請求項５に記載の受信機。
【請求項７】
シンボル復元プロセッサーは、テンプレートがほぼ３の平方根で除算されたトランスミッタフィルタのＢＴと等しいＢＴで最適化されるように、プログラムされている、請求項５に記載の受信機。
【請求項８】
選択性フィルタ、ディスクリミネーターおよびシンボル復元プロセッサーは、１Ｍｂｐｓのデータレートおよび０．５のトランスミッタフィルタＢＴを有する２値のガウス周波数偏移変調（２−ＧＦＳＫ）チャネルで送信されたシンボルを受信し復元するように、構成され、かつプログラムされている請求項５に記載の受信機。
【請求項９】
周波数偏移変調（ＦＳＫ）チャネル上に送信されたシンボルを受信し復元するためのトランシーバーであって、前記シンボルは、シンボルレートに対する送信バンド幅の比率ＢＴを有するトランスミッタフィルタを使用して送信され、前記式中、Ｂはフィルタ・ハーフ・バンド幅であり、Ｔはシンボル時間であり、前記トランシーバーは、
通信信号を送信するためのトランスミッタと、
前記トランスミッタを制御するために同トランスミッタに接続した通信プロセッサーと、
無線信号を受信するために通信プロセッサに接続した受信機とを備え、該受信機は、
無線信号をダウン変換するためのダウンコンバータと、
所望のチャネルを選択的に通し、所望でないチャネルを拒否するためにダウンコンバータに接続した選択性フィルタであって、トランスミッタフィルタのＢＴの約半分のフィルタＢＴを有する選択性フィルタと、
シンボルを周波数領域シンボルから時間領域シンボルに変換するために選択性フィルタに接続したディスクリミネーターと、
２ステートの最尤系列推定（ＭＬＳＥ）技術によってシンボルを復元するためにディスクリミネーターに接続したシンボル復元プロセッサーと、前記最尤系列推定技術においてはテンプレートがトランスミッタフィルタのＢＴより実質的に小さいＢＴで最適化されることとを備える、トランシーバー。
【請求項１０】
選択性フィルタ、ディスクリミネーターおよびシンボル復元プロセッサーは、該トランシーバーにおいて、ポスト・ディテクション・フィルタが不要となるように構成され、かつプログラムされている請求項９に記載のトランシーバー。
【国際調査報告】
2004514368.tif 000022
2004514368.tif 000023